(57)【要約】本発明は、少なくとも１つの細長の多目的手持ち用器具（５）を展示するための台であって、キャリア（１）と、前記キャリアにより支持され、器具（５）の輪郭を基本的にたどるアーム（６）を有し、一端部に器具（５）の一端側の開口に押入されるノーズ（７）を有し、他端部に器具（５）を横方向に支持するＵ字形架台（８）を有する収容クランプ（４）とを含む台に関する。
2004500938.tif 000002
【特許請求の範囲】
【請求項１】
少なくとも１つの細長の多目的手持ち用器具（５）を展示するための台であって、キャリア（１）と、前記キャリアにより支持される収容クランプ（４）とを有し、該収容クランプ（４）は、器具（５）の輪郭を基本的にたどるアーム（６）を有し、該アーム（６）の一端部には、器具（５）の一端側の開口に押入されるノーズ（７）を有すると共に、前記アーム（６）の他端部には、器具（５）を横方向に支持するＵ字形架台（８）を有することを特徴とする台。
【請求項２】
前記収容クランプ（４）が前記キャリア（１）に回転可能に配置されることを特徴とする請求項１記載の台。
【請求項３】
前記収容クランプ（４）が、水平面に対してノーズ（７）を支持する端部の方向へ傾斜することを特徴とする請求項１又は２記載の台。
【請求項４】
前記Ｕ字形架台（８）が、互いに対してプレストレス印加される脚部（１１）を有することを特徴とする請求項１乃至３のうちいずれか一項に記載の台。
【請求項５】
前記脚部（１１）が、自由端に、器具（５）の対応する間隙に係合する内向きのノーズ（１２）を有することを特徴とする請求項４記載の台。
【請求項６】
前記キャリア（１）が、前記収容クランプ（４）により保持される器具（５）に対してほぼ中心に前記収容クランプ（４）を支持することを特徴とする請求項１乃至５のうちいずれか一項に記載の台。
【請求項７】
前記Ｕ字形架台（８）が、器具（５）のほぼ中心領域で器具（５）の周囲に係合するように配置されることを特徴とする請求項１乃至６のうちいずれか一項に記載の台。
【請求項８】
収容クランプ（４）が前記キャリア（１）に接合可能であることを特徴とする請求項１乃至７のうちいずれか一項に記載の台。
【請求項９】
前記収容クランプ（４）と前記キャリア（１）とが、特に掛止差込接続を介して接続されることを特徴とする請求項８記載の台。
【請求項１０】
前記キャリア（１）が、前記収容クランプ（４）のための支持体（３）を持つ足部（２）を有することを特徴とする請求項１乃至９のうちいずれか一項に記載の台。
【請求項１１】
前記足部（２）と前記支持体（３）とが接合可能であることを特徴とする請求項１０に記載の台。
【請求項１２】
前記支持体（３）が管状であることを特徴とする請求項１０又は１１記載の台。
【請求項１３】
前記足部（２）が傾斜表示面（１６）を有し、前記支持体（３）が前記表示面（１６）の上部領域に配置されることを特徴とする請求項１０乃至１２のうちいずれか一項に記載の台。
【請求項１４】
前記足部（２）がほぼ馬蹄形であることを特徴とする請求項１３記載の台。
【請求項１５】
前記キャリア（１）が、前記収容クランプ（４）のための少なくとも１つの支持体（３）の壁ホルダ（１７）を有することを特徴とする請求項１乃至９のうちいずれか一項に記載の台。
【請求項１６】
前記キャリア（１）が、前記収容クランプ（４）のための少なくとも１つの支持体（３）を持つ柱状部（２０）を有することを特徴とする請求項１乃至９のうちいずれか一項に記載の台。
【請求項１７】
前記支持体（３）が支持山形材として設計されることを特徴とする請求項１５又は１６記載の台。
【請求項１８】
前記支持体（３）が吊り下げ可能であることを特徴とする請求項１５乃至１７のうちいずれか一項に記載の台。
【請求項１９】
前記柱状部（２０）が多角形の横断面を有し、前記支持体（３）が前記柱状部（２０）の外側平面に装着されることを特徴とする請求項１６乃至１８のうちいずれか一項に記載の台。
【請求項２０】
前記柱状部（２０）が、上部（２１）と底部（２２）の間に配置されると共に、透明のケーシング（２３）により囲まれることを特徴とする請求項１６乃至１９のうちいずれか一項に記載の台。
【請求項２１】
基本的に円形のタワーを形成することを特徴とする請求項２０記載の台。
【請求項２２】
少なくとも１つの器具（５）のためのシースルーのボックスとして設計されることを特徴とする請求項１５、１７および１８のうちいずれか一項に記載の台。
【請求項２３】
前記キャリア（１）が、Ｌ字形であると共に、後壁（３２）を持つ基板（３３）を有し、該基板が支持体（３）を収容することを特徴とする請求項１乃至９のうちいずれか一項に記載の台。
【請求項２４】
前記キャリア（１）がシースルーのカバー（３４）を有することを特徴とする請求項２３記載の台。
【請求項２５】
前記カバー（３４）が、前記基板（３３）および前記後壁（３２）と共に閉じたボックスを形成することを特徴とする請求項２４記載の台。
【請求項２６】
前記カバー（３４）が前記後壁（３２）にロック可能であることを特徴とする請求項２３又は２４記載の台。
【請求項２７】
前記収容クランプ（４）が透明なプラスチックから構成されることを特徴とする請求項１乃至２６のうちいずれか一項に記載の台。
【発明の詳細な説明】
【０００１】
本発明は、少なくとも１つの細長の多目的手持ち用器具を展示するための台に関する。
この種の、特に事務作業に適した多目的手持ち用器具は、ＷＯ９７／０４９２４、ＷＯ９８／３２５７０、ＷＯ９９／２０４２８から公知であり、ステープラおよび／または穴開けパンチャと共に、はさみ、ナイフの刃、ステープルリムーバ等の更なるツールを提供することが可能である。
本発明の目的は、１つまたは複数のこの種の多目的手持ち用器具をわかりやすく効果的に展示することのできる台を提供することである。
【０００２】
本目的は、請求項１により達成される。
本発明の更なる構成について、以下の説明およびサブクレームから推測することができる。
以下、添付図面に示す例示的な実施形態を参照しながら、本発明についてさらに詳細に説明する。
【０００３】
図１および図２に示す台は、足部２、および図示した例示的な実施形態において管状の支持体３を含むキャリア１と、特に事務作業用の細長の多目的手持ち用器具５のための収容クランプ４とを備えている。図示した例では、多目的手持ち用器具５は、ステープラ、穴開けパンチャ、ならびにはさみ、ステープルリムーバ、および特に手紙の開封に使用可能なナイフの刃を含む。
【０００４】
収容クランプ４は、器具５の輪郭をたどるアーム６を有し、アーム６の一端部に器具５の一端側の開口またはスロットに押入されるノーズ７を有し、アーム６の他端部に器具５を横方向に支持するＵ字形架台８を有する。
収容クランプ４の下面には、器具５に対してほぼ中心に、管状支持体３に差し込むための中空の差込式スタブ９と、差込式スタブ９を対応する凹部内に掛止するために差込式スタブ９上に設けられるカラー１０とがある。それにもかかわらず、収容クランプ４はキャリア１に対して回転可能である。
【０００５】
しかしながら、この接続の代わりに、ねじ接続、圧入接続、差込接続等、または接着剤結合もしくは収容クランプ４及びサポート３の一体設計等の、解放不可能な接続を設けることも可能である。
収容クランプ４は水平面に対してノーズ７を支持する端部の方向へ傾斜し、器具５がほぼ中心まで支持されるだけで確実に収容され興味を引くように展示されるようになっている。好ましくは、Ｕ字形架台８は互いに対してプレストレス印加される脚部１１を有し、器具５をある程度クランプできるようになっている。脚部１１の自由端には、器具５の対応する間隙に係合する内向きのノーズ１２が設けられる。図示した細長の器具５は、互いに対して移動可能な２つの構成要素５ａ、５ｂを有し、各構成要素は、平面側壁５ｃと平面側壁５ｃにわたって延びるハウジングシェル５ｄとを有し、その結果、側壁５ｃが、関連するハウジングシェル５ｄに対して後退し、ノーズ１２が凹部内に係合する。従って、損傷を与えることなく器具５を収容クランプ４に挿入し、収容クランプ４から取り外すことが容易に可能になる。
【０００６】
好ましくは、キャリア１の足部２と支持体３とが接合される。この目的で、支持体３に、端部で傾斜してビード１４を支持する差込式スタブ１３を設けることが好都合であり、その結果、差込式スタブ１３を足部２の対応する穴１５に堅固に掛止することができる。この代わりに、他の接続または足部２と支持体３の一体設計を設けることも可能である。
【０００７】
足部２は、情報等のための傾斜表示面１６を有し、支持体３が表示面１６の上部領域に配置され、その結果、最大の表示面１６が使用可能となる。この目的のため、好ましくは、足部２はほぼ馬蹄形の設計である。
図３に示す実施形態の場合、キャリア１は、収容クランプ４のための支持体３を支持する板状壁ホルダ１７を有する。支持体３はここでは支持山形材として設計され、水平脚部の一端側が壁ホルダ１７側を向き、壁ホルダ１７の対応する開口１９に吊り下げるためのフック状突出部１８を支持する。支持山形材の垂直脚部は管状の設計であり、図１および図２で設計された収容クランプ４を収容できるようになっている。
【０００８】
図４乃至図６に示す実施形態の場合、キャリア１は、上部３１および底部２２を持つ柱状部２０の形状に設計され、柱状部２０は特に多角形、例えば六角形の横断面を有し、支持山形材として設計された支持体３が、例えば図３に示す実施形態に従って、各々収容クランプ４と共に柱状部２０の対応する開口に吊り下げられ、多数の器具５を展示することができるようになっている。
【０００９】
透明のケーシング２３、例えばガラスシリンダが、上部２１と底部２２の間に配置される。
図６に示すように、ここでは底部２２が、内側管２６を収容する上向きの内側リング２５を持つ足板２４を有することができる。カバー２７は、リング２５を囲んで足板２４全体を被覆するように挿入され、柱状部２０はクランプ動作によりカバー２７の壁２８に隣接して挿入され、前記壁はある距離を置いてリング２５を囲み、柱状部２０の横断面に対応する凹部２９を形成する。カバー２７には、外周に隣接して、上部の開いた、透明ケーシング２３を収容するための円形溝１３が設けられる。足板２４は、溝３０の領域でカバー２７を支持する支持リング３１を有する。上部２１は、対応して鏡反転させた設計となっている。ここでは直立部分を回転可能な設計とすることができる。
【００１０】
図７および図８に示す実施形態の場合、キャリア１は、前面の開いた、または適切であれば、フロントパネルが設けられたボックス状に設計することができ、支持山形材として設計された支持体３が吊り下げられる開口を持つ後壁３２が設けられる。この台は吊下式、および立置式の両方で使用することができる。
図９および図１０に示す実施形態の場合、キャリア１は基板３３を備えている。基板３３は、上に配置され、または基板３３と一体形成される足部２を有し、好ましくは、キャリア１は、ほぼ中心に収容クランプ４のための管状支持体３を収容するが、図１および図２に示す例示的な実施形態と基本的に同様に設計される。基板３３は後壁３２に接続される。
【００１１】
シースルーのカバー３４が設けられ、前記カバーは基板３３および後壁３２と共に閉じたボックスを形成する。カバー３４は、基板３３および後壁３２上の突出するフレーム部分３５に隣接して収容され、好ましくは後壁３２にロック可能である。この目的で、カバー３４は、差込貫通開口３６が設けられて後壁３２の開口３８に嵌入する突出部３７を上面および後面に有する。ばね止め具３９が後壁３２の後側に保持され、カバーの開口３８に係合するフック４１を持つクリップ状部分４０を有する。カバー３４は、クリップ状部分４０を押圧することにより解放可能である。
【００１２】
収容クランプ４は、透明な、特に澄んだプラスチックから構成される。
【図面の簡単な説明】
【図１】多目的手持ち用器具を展示するための台の斜視図である。
【図２】図１の台の分解図である。
【図３】台の更なる実施形態の分解図である。
【図４】複数の多目的手持ち用器具を展示するための台の更なる実施形態の前面図である。
【図５】図４の台の半径方向断面図である。
【図６】図４の台の軸方向詳細断面図である。
【図７】複数の多目的手持ち用器具を展示するための台の更なる実施形態の斜視図である。
【図８】図７の台の水平断面図である。
【図９】多目的手持ち用器具を展示するための台の更なる実施形態の別々の部品を示す図である。
【図１０】図９の台の詳細断面図である。
【図１】
2004500938.tif 000003
【図２】
2004500938.tif 000004
【図３】
2004500938.tif 000005
【図４】
2004500938.tif 000006
【図５】
2004500938.tif 000007
【図６】
2004500938.tif 000008
【図７】
2004500938.tif 000009
【図８】
2004500938.tif 000010
【図９】
2004500938.tif 000011
【図１０】
2004500938.tif 000012
【国際公開パンフレット】
2004500938.tif 000013
2004500938.tif 000014
2004500938.tif 000015
2004500938.tif 000016
2004500938.tif 000017
2004500938.tif 000018
2004500938.tif 000019
2004500938.tif 000020
2004500938.tif 000021
2004500938.tif 000022
2004500938.tif 000023
2004500938.tif 000024
2004500938.tif 000025
2004500938.tif 000026
2004500938.tif 000027
【国際公開パンフレット（コレクトバージョン）】
2004500938.tif 000028
2004500938.tif 000029
【国際調査報告】
2004500938.tif 000030
2004500938.tif 000031
2004500938.tif 000032
2004500938.tif 000033
2004500938.tif 000034
2004500938.tif 000035